(57)【要約】【課題】塗布体の乾燥を防ぐことができ、且つ引張部材が捩じれることがない出没式塗布具を開発することを課題とする。【解決手段】芯部材と、芯部材と軸方向に一体的に移動する芯部材側係合部１８と、外筒２と、蓋部材と、ノック部材と、クリップを有する。ノック部材を押圧することによって蓋部材が開いて塗布体が外筒２から突出し、芯側係合部がクリップと係合して塗布体が突出した状態を維持し、ノック部材を再度押圧するか芯側係合部とクリップとの係合を解くことによって塗布体が外筒内に戻ると共に蓋部材が閉じる。芯部材が軸方向外側に向かって移動する際には回転阻止係合部１３が開口部５の直線状部６と係合して芯部材の回転を阻止し、芯部材側係合部１８がクリップの回動ガイドに誘導されて回動してクリップの係止部２７と係合する。【選択図】図１０
2017113900.tif 000002
【特許請求の範囲】
【請求項１】
塗布体を有する芯部材と、芯部材と軸方向に一体的に移動する芯側係合部と、外筒と、蓋部材と、ノック部材と、クリップを有し、
クリップにはクリップ側係合部があり、
外筒内に蓋部材によって密閉される密閉空間があり、前記芯部材は外筒に軸方向に移動可能に収容されていて前記塗布体は前記密閉空間内にあり、
ノック部材を押圧することによって芯部材が軸方向先端側に向かって移動し、蓋部材が開いて塗布体が外筒の先端から突出して塗布可能な状態となると共に芯側係合部がクリップと係合して塗布体が外筒から突出した状態を維持し、
ノック部材を再度押圧するか芯側係合部とクリップとの係合を解くことによって芯部材が軸方向後方側に向かって移動し、塗布体が外筒内に戻ると共に蓋部材が閉じる出没式塗布具において、
芯部材と蓋部材とをつなぐ引張部材を有し、芯部材が軸方向後方側に向かって移動することによって蓋部材の一部を引っ張って蓋部材を閉止するものであり、
前記外筒の側面には開口部があり、当該開口部は外筒の軸線に沿って直線状にのびる直線状部と、直線状開口と連通し直線状部よりも幅が広い大面積部を有し、
芯部材には、回転方向に一体的に設けられた回転阻止係合部があり、前記芯側係合部は芯部材の周囲に回動可能かつ軸方向には一体的に装着された係合片に設けられており、
クリップには芯側係合部が外筒の後端側に移動することを阻止する係止部と、芯部材が軸方向先端側に移動する際に芯側係合部を回動させる回動ガイドを有し、
芯部材の回転阻止係合部及び芯側係合部は前記開口部にあり、少なくとも芯側係合部はその一部が前記開口部から突出し、
ノック部材を押圧して芯部材が軸方向外側に向かって移動する際には回転阻止係合部が開口部の直線状部と係合して芯部材の回転を阻止し、
芯側係合部がクリップの回動ガイドに誘導されて回動してクリップの係止部と係合し、
ノック部材を再度押圧して芯部材が軸方向外側に向かって移動する際には芯側係合部がクリップの回動ガイドに誘導されて回動してクリップの係止部と係合が解除されることを特徴とする出没式塗布具。
【請求項２】
芯側係合部が係止部と係合する方向に芯側係合部を回動させる係合用回動ガイドと、芯側係合部が係止部との係合を解除する方向に芯側係合部を回動させる解除用回動ガイドを有することを特徴とする請求項１に記載の出没式塗布具。
【請求項３】
ノック部材を押し込みきった状態においては、回転阻止係合部は、直線状開口を離れて大面積部に至ることを特徴とする請求項１又は２に記載の出没式塗布具。
【請求項４】
クリップの裏面には、塗布体を突出させるべくノック部材を押圧して芯部材が軸方向外側に向かって移動する際に芯側係合部が通過する往き側通路があり、当該往き側通路に段差が設けられていることを特徴とする請求項１乃至３のいずれかに記載の出没式塗布具。
【請求項５】
塗布体を有する芯部材と、芯部材と軸方向に一体的に移動する芯側係合部と、外筒と、蓋部材と、ノック部材と、クリップを有し、
クリップにはクリップ側係合部があり、
外筒内に蓋部材によって密閉される密閉空間があり、前記芯部材は外筒に軸方向に移動可能に収容されていて前記塗布体は前記密閉空間内にあり、
ノック部材を押圧することによって芯部材が軸方向先端側に向かって移動し、蓋部材が開いて塗布体が外筒の先端から突出して塗布可能な状態となると共に芯側係合部がクリップと係合して塗布体が外筒から突出した状態を維持し、
ノック部材を再度押圧するか芯側係合部とクリップとの係合を解くことによって芯部材が軸方向後方側に向かって移動し、塗布体が外筒内に戻ると共に蓋部材が閉じる出没式塗布具において、
前記外筒の側面には開口部があり、当該開口部は外筒の軸線に沿って直線状にのびる直線状部と、直線状開口と連通し直線状部よりも幅が広い大面積部を有し、
芯部材には、回転方向に一体的に設けられた回転阻止係合部があり、前記芯側係合部は芯部材の周囲に回動可能かつ軸方向には一体的に装着された係合片に設けられており、
クリップには芯側係合部が外筒の後端側に移動することを阻止する係止部と、芯部材が軸方向先端側に移動する際に芯側係合部を回動させる回動ガイドを有し、
芯部材の回転阻止係合部及び芯側係合部は前記開口部にあり、少なくとも芯側係合部はその一部が前記開口部から突出し、
ノック部材を押圧して芯部材が軸方向外側に向かって移動する際には回転阻止係合部が開口部の直線状部と係合して芯部材の回転を阻止し、
芯側係合部がクリップの回動ガイドに誘導されて回動してクリップの係止部と係合し、
ノック部材を再度押圧して芯部材が軸方向外側に向かって移動する際には芯側係合部がクリップの回動ガイドに誘導されて回動してクリップの係止部と係合が解除されることを特徴とする出没式塗布具。
【発明の詳細な説明】
【技術分野】
【０００１】
本発明は、後端のノック部材をノックして外筒の先端開口から芯部材の塗布体を突出させる出没式塗布具に関するものである。
【背景技術】
【０００２】
外筒内に芯部材があり、芯部材の塗布体が外筒から出没する出没式のマーキングペン（以下出没式塗布具）が知られている（例えば、特許文献１）。
この出没式塗布具は、不使用時には、芯部材の塗布体が外筒内の収容部に収容され、蓋部材によって密閉されている。特許文献１に記載の出没式塗布具は、塗布体が密閉空間内に収容されるので、塗布体の乾燥を防ぐことができる。
特許文献１に記載の出没式塗布具では、蓋部材はヒンジで開閉する蓋体を有し、蓋体と芯部材とが糸で繋がっている。
特許文献１に記載の出没式塗布具は、使用時には、使用者が後端部に設けられたノック部材を押圧することで収容部内から前方に進出し、前記した糸が緩んで蓋体が開く。そして芯部材の先端に位置する塗布体が外筒から外部に露出して塗布可能となる。
【０００３】
出没式塗布具は、クリップを設けることによって、衣服のポケットやノート等に固定することができる。クリップは、外筒の後端付近に固定された細長い部材であり、自由端側が外筒の外正面に当接又は近接している。そしてクリップの自由端部分（先端部分）と外筒の間で、取付対象物を挟み込んで取付対象物に固定する。例えばクリップと外筒の間で衣服のポケットの生地を挟み込み、出没式塗布具を衣服に固定する。
【０００４】
しかし仮に塗布体が外筒から突出した塗布可能な状態で出没式塗布具を衣服のポケットに固定すると、塗布体が衣服に触れて衣服を汚してしまう。そこで、この様な事態を防ぐために、クリップの先端部分が外筒から離れると自動的に塗布体が外筒内に退没する出没式塗布具が提案されており、この様な出没式塗布具が例えば特許文献２に開示されている。なお特許文献２に開示された出没式塗布具は、具体的にはノック式ボールペンである。
【０００５】
特許文献２に記載の出没式塗布具は、芯部材とノック部材とを備えている。芯部材は、ばねで外筒の後端側へ常時付勢されている。ノック部材には、半径方向外方へ突出した係止突起が設けられている。芯部材とノック部材は一体化されている。
【０００６】
一方、外筒には係止突起を貫通させる縦溝が設けられている。縦溝は一部に曲部がある。ノック部材が前後方向に移動する際には、係止突起は縦溝に沿って移動する。即ち係止突起は軸方向に移動しつつ曲部を通過する際に回動する。従って特許文献２に記載の出没式塗布具では、芯部材が軸方向に移動する際に回動方向にも姿勢変更する。
【０００７】
また外筒にはクリップが装着されており、クリップは外筒の縦溝に沿って配置されている。クリップの先端の玉部には係止部が設けられている。
【０００８】
そして使用者が出没式塗布具のノック部材を前方に押し出すと、芯部材の係止突起が外筒の縦溝に沿って直線移動すると共に回動する。なお係止突起の回動に伴って芯部材も回動することとなる。そして係止突起はクリップの係止部を押し上げて、クリップの係止部を通過する。
【０００９】
その後、使用者がノック部材の押し出し操作を止めると、ばねの弾性力によって芯部材が後方へ移動する。そして芯部材と共に係止突起が後方へ移動し、芯部材の係止突起がクリップ係止部に係合し、芯部材の塗布体が外筒の先端開口から突出した状態が維持される。
【００１０】
ここで使用者が、塗布可能な状態で出没式塗布具を衣服に固定しようとすると、クリップの玉部が外筒から離れる方向に移動し、クリップの係止部と芯部材の係止突起の係合が解除され、ばねの付勢力によって係止突起と共に芯部材が後方へ移動し、塗布体が外筒内に退没する。特許文献２の出没式塗布具では、塗布体が露出した状態で衣服に固定されることがなく、衣服が汚れることがない。
【００１１】
また特許文献２に記載の出没式塗布具では、塗布体が外筒から突出した状態の際にノック部材を押圧すると、芯部材は先端方向に移動すると共に回動し、芯部材の係止突起とクリップの係止部との係合が解除される。そしてばねの付勢力によって係止突起が後方へ移動し、塗布体が外筒内に没入する。
【先行技術文献】
【特許文献】
【００１２】
【特許文献１】特開昭６３−１６２２９３号公報
【特許文献２】特開平９−５８１８２号公報
【発明の概要】
【発明が解決しようとする課題】
【００１３】
本発明者らは、特許文献１に開示された蓋体構造を備え、且つ特許文献２に開示された構成を適用し、クリップで衣服を挟むことによって塗布体が外筒内に没入する構造の出没式塗布具を考えた。
しかしながら特許文献２の構成によると、塗布体を出没する際に芯部材が外筒に対して相対的に回転するので、蓋体と芯部材をつなぐ糸が捩じれてしまう懸念がある。
また他の方法によって蓋体を開閉する場合であっても、芯部材が外筒に対して相対的に回転すると、塗布体が蓋体によって擦られ、塗布体を傷つけてしまう懸念がある。
そこで本発明は、上記した問題点に注目し、クリップを操作することによって塗布体を外筒内に没入させることができる出没式塗布具であり、芯部材が回動しにくい構造の出没式塗布具を開発することを課題とするものである。
また本発明は、上記した問題点に注目し、芯部材と蓋部材とをつなぐ引張部材を有する構造の出没式塗布具であって、且つクリップを操作することによって塗布体を外筒内に没入させることができる出没式塗布具であり、引張部材が捩じれることない出没式塗布具を開発することを課題とするものである。
即ち本発明は、塗布体の乾燥を防ぐことができ、且つ芯部材が回動せず、耐久性が高い出没式塗布具を開発することを課題とするものである。
【課題を解決するための手段】
【００１４】
上記課題を解決するための態様は、塗布体を有する芯部材と、芯部材と軸方向に一体的に移動する芯側係合部と、外筒と、蓋部材と、ノック部材と、クリップを有し、クリップにはクリップ側係合部があり、外筒内に蓋部材によって密閉される密閉空間があり、前記芯部材は外筒に軸方向に移動可能に収容されていて前記塗布体は前記密閉空間内にあり、ノック部材を押圧することによって芯部材が軸方向先端側に向かって移動し、蓋部材が開いて塗布体が外筒の先端から突出して塗布可能な状態となると共に芯側係合部がクリップと係合して塗布体が外筒から突出した状態を維持し、ノック部材を再度押圧するか芯側係合部とクリップとの係合を解くことによって芯部材が軸方向後方側に向かって移動し、塗布体が外筒内に戻ると共に蓋部材が閉じる出没式塗布具において、芯部材と蓋部材とをつなぐ引張部材を有し、芯部材が軸方向後方側に向かって移動することによって蓋部材の一部を引っ張って蓋部材を閉止するものであり、前記外筒の側面には開口部があり、当該開口部は外筒の軸線に沿って直線状にのびる直線状部と、直線状開口と連通し直線状部よりも幅が広い大面積部を有し、芯部材には、回転方向に一体的に設けられた回転阻止係合部があり、前記芯側係合部は芯部材の周囲に回動可能かつ軸方向には一体的に装着された係合片に設けられており、クリップには芯側係合部が外筒の後端側に移動することを阻止する係止部と、芯部材が軸方向先端側に移動する際に芯側係合部を回動させる回動ガイドを有し、芯部材の回転阻止係合部及び芯側係合部は前記開口部にあり、少なくとも芯側係合部はその一部が前記開口部から突出し、ノック部材を押圧して芯部材が軸方向外側に向かって移動する際には回転阻止係合部が開口部の直線状部と係合して芯部材の回転を阻止し、芯側係合部がクリップの回動ガイドに誘導されて回動してクリップの係止部と係合し、ノック部材を再度押圧して芯部材が軸方向外側に向かって移動する際には芯側係合部がクリップの回動ガイドに誘導されて回動してクリップの係止部と係合が解除されることを特徴とする出没式塗布具である。
【００１５】
塗布具とはフェルトペンやマーキングペン等を含む概念である。
本態様の塗布具は、回転阻止係合部と芯側係合部を有している。回転阻止係合部は、芯部材に対して回転方向に一体的に設けられているから、回転阻止係合部が回動しなければ芯部材は回動しない。一方、芯側係合部は芯部材の周囲に回動可能かつ軸方向には一体的に装着された係合片に設けられているので、芯側係合部に対して回動することができる。
本態様の塗布具では、ノック部材を押圧して芯部材を軸方向外側に向かって移動させることにより、芯側係合部がクリップの回動ガイドに誘導されて回動し、クリップの係止部と係合する。ここで本態様の塗布具では、回転阻止係合部が開口部の直線状部と係合して芯部材の回転を阻止し、且つ芯側係合部は芯部材に対して相対回転することができるから、芯部材を回動させることなく芯側係合部を係止部に係合させることができる。
そのため芯部材と蓋部材とをつなぐ引張部材が捩じれることはない。
【００１６】
前記した態様において、芯側係合部が係止部と係合する方向に芯側係合部を回動させる係合用回動ガイドと、芯側係合部が係止部との係合を解除する方向に芯側係合部を回動させる解除用回動ガイドを有することが望ましい。
【００１７】
前記した各態様において、ノック部材を押し込みきった状態においては、回転阻止係合部は、直線状開口を離れて大面積に至ることが望ましい。
【００１８】
本態様によると、芯部材が一時的に回動可能な状態となるので、芯部材が直線移動していた際に生じた芯部材の捩じれが解消される。
【００１９】
前記した各態様において、クリップの裏面には、塗布体を突出させるべくノック部材を押圧して芯部材が軸方向外側に向かって移動する際に芯側係合部が通過する往き側通路があり、当該往き側通路に段差が設けられていることが望ましい。
【００２０】
本態様によると、ノック部材を押圧した際にクリック音が発生し節度感が得られる。
【００２１】
上記課題を解決するための他の態様は、塗布体を有する芯部材と、芯部材と軸方向に一体的に移動する芯側係合部と、外筒と、蓋部材と、ノック部材と、クリップを有し、クリップにはクリップ側係合部があり、外筒内に蓋部材によって密閉される密閉空間があり、前記芯部材は外筒に軸方向に移動可能に収容されていて前記塗布体は前記密閉空間内にあり、ノック部材を押圧することによって芯部材が軸方向先端側に向かって移動し、蓋部材が開いて塗布体が外筒の先端から突出して塗布可能な状態となると共に芯側係合部がクリップと係合して塗布体が外筒から突出した状態を維持し、ノック部材を再度押圧するか芯側係合部とクリップとの係合を解くことによって芯部材が軸方向後方側に向かって移動し、塗布体が外筒内に戻ると共に蓋部材が閉じる出没式塗布具において、前記外筒の側面には開口部があり、当該開口部は外筒の軸線に沿って直線状にのびる直線状部と、直線状開口と連通し直線状部よりも幅が広い大面積部を有し、芯部材には、回転方向に一体的に設けられた回転阻止係合部があり、前記芯側係合部は芯部材の周囲に回動可能かつ軸方向には一体的に装着された係合片に設けられており、クリップには芯側係合部が外筒の後端側に移動することを阻止する係止部と、芯部材が軸方向先端側に移動する際に芯側係合部を回動させる回動ガイドを有し、芯部材の回転阻止係合部及び芯側係合部は前記開口部にあり、少なくとも芯側係合部はその一部が前記開口部から突出し、ノック部材を押圧して芯部材が軸方向外側に向かって移動する際には回転阻止係合部が開口部の直線状部と係合して芯部材の回転を阻止し、芯側係合部がクリップの回動ガイドに誘導されて回動してクリップの係止部と係合し、ノック部材を再度押圧して芯部材が軸方向外側に向かって移動する際には芯側係合部がクリップの回動ガイドに誘導されて回動してクリップの係止部と係合が解除されることを特徴とする出没式塗布具である。
【００２２】
上記態様においては、芯部材と蓋部材とをつなぐ引張部材を有し、芯部材が軸方向後方側に向かって移動することによって蓋部材の一部を引っ張って蓋部材を閉止するものであることが望ましい。
【発明の効果】
【００２３】
本発明の塗布具は、塗布体の乾燥を防ぐことができ、且つ芯部材が回動しないので耐久性が高い。
また本発明の塗布具は、塗布体の乾燥を防ぐことができ、且つ引張部材が捩じれることが無いので耐久性が高い。
【図面の簡単な説明】
【００２４】
【図１】本実施形態に係る出没式塗布具の正面図である。
【図２】図１の出没式塗布具を構成部材に分解した状態の正面図である。
【図３】芯部材の分解斜視図である。
【図４】芯部材に付属品を装着した状態の正面図である。
【図５】図１の出没式塗布具からクリップを外した状態の正面図であり、（ａ）は、塗布体が外筒内に収納されている状態を示し、（ｂ）は、塗布体が外筒から突出している状態を示し、（ｃ）は、開口部の拡大図である。
【図６】出没式塗布具の正面図であり、塗布体が外筒内に収納されている状態を示す。
【図７】出没式塗布具の正面図であり、塗布体が外筒から突出している状態を示す。
【図８】シール部材の斜視図であり、（ａ）は密閉姿勢の状態を表し、（ｂ）は塗布姿勢の状態を表す。
【図９】引張部材の斜視図である。
【図１０】（ａ）〜（ｆ）は、塗布体が外筒から突出する際における、塗布体の回転阻止係合部及び芯側係合部と外筒のスリット及びクリップ内面の各突起部との関係を示す出没式塗布具の部分斜視図である。
【図１１】（ａ）〜（ｆ）は、塗布体が外筒から突出した状態から外筒内に収納される際における、塗布体の回転阻止係合部及び芯側係合部と外筒のスリット及びクリップ内面の各突起部との関係を示す出没式塗布具の部分斜視図である。
【図１２】出没式塗布具のクリップの内面図であり、（ａ）〜（ｆ）は、塗布体が外筒内に収納された状態から塗布可能に外筒から突出する際における、クリップの内面の各突起と塗布体の回転阻止係合部及び芯側係合部の関係を示す。
【図１３】出没式塗布具のクリップの内面図であり、（ａ）〜（ｅ）は、塗布体が塗布可能に外筒から突出した状態から外筒内に収納される際における、クリップの内面の各突起と塗布体の回転阻止係合部及び芯側係合部の関係を示す。
【図１４】（ａ）〜（ｆ）は、出没式塗布具の外筒のスリットとクリップの内面の各突起の位置関係を示すと共に、外筒から塗布体が突出する際における、塗布体の回転阻止係合部及び芯側係合部の移動の仕方を示す説明図である。
【図１５】（ａ）〜（ｆ）は、出没式塗布具の外筒のスリットとクリップの内面の各突起の位置関係を示すと共に、外筒内に塗布体が収納される際における、塗布体の回転阻止係合部及び芯側係合部の移動の仕方を示す説明図である。
【図１６】図１の出没式塗布具の断面図であり、（ａ）は密閉姿勢の状態を表し、（ｂ）は塗布姿勢の状態を表す。なお、潤滑油の塗布部分を黒塗りで示す。
【図１７】図１の要部の斜視図であり、（ａ）は密閉姿勢の状態を表し、（ｂ）は塗布姿勢の状態を表す。
【発明を実施するための形態】
【００２５】
以下、さらに本発明の実施形態について説明する。
図１，図２に示す様に、本実施形態の出没式塗布具１は、ノック式のマーキングペンである。出没式塗布具１は、外筒２、芯部材３、クリップ４を有している。芯部材３にはノック部材２９が接続されている。
また出没式塗布具１は、シール部材１０５と、引張部材１０６を有している。
出没式塗布具１は、使用者がノック部材２９を前方に向けて押圧操作することによって、図６，図７から読み取れるように、芯部材３が外筒２の軸方向に沿って移動し、芯部材３の先端側端部に設けられた塗布体１１８が外筒２の開口１１１の内外に出没する構成となっている。
即ち出没式塗布具１は、ノック部材２９に対して押圧操作を行うことによって、図１６（ａ）のように、ペン先部材１１５の塗布体１１８全体が外筒２内のシール部材１０５に収容されて密閉された密閉姿勢と、図１６（ｂ）のようにペン先部材１１５の塗布体１１８がシール部材１０５から露出して塗布体１１８の一部が外筒２の開口１１１から突出した塗布姿勢との間で姿勢変更が可能となっている。
【００２６】
以下、各部材について説明する。
外筒２は内部が空洞であり、先端側及び後端側が開口した筒状の部材である。図１，図２に示す外筒２は、右側（塗布体１１８突出側）が先端側であり、左側（ノック部材２９側）が後端側である。
【００２７】
外筒２は筒状であり、後端に開口４５があり、先端にも開口１１１がある。
また外筒２の側面にも図２、図５の様に開口部５が設けられている。
開口部５は、外筒２の後端から先端側にのびている。開口部５は後端側の幅の狭い直線状開口６と、先端側の幅の広い大面積部７を有している。
【００２８】
直線状開口６は、外筒２の後端から先端側へ軸線と平行に直線状にのびる部位である。  直線状開口６の幅寸法は、後述の芯部材３の回転阻止係合部１３と芯部材側係合部１８をちょうど通過させることができる程度の大きさである。
大面積部７の幅寸法は、直線状開口６の幅寸法よりも大きい。
【００２９】
大面積部７は、図２に示す様に、軸方向（図２の左右方向）の所定の範囲を占めており、さらに外筒２の円周方向（図２の上下方向）にも広がっている。
大面積部７は、直線状開口６と繋がる開口であり、傾斜部８、直線部３３、傾斜部９、直線部３７、先端部３６、直線部３４、傾斜部１０によって囲まれる開口である。
即ち大面積部７における直線状開口６との接続部分には、傾斜部８，１０が設けられている。傾斜部８，１０は、先端側へいくほど大面積部７の幅を拡げるように傾斜している。
傾斜部８と直線状開口６との接続部は傾斜部１０と直線状開口６との接続部よりも先端側にある。
【００３０】
傾斜部８側に注目すると、傾斜部８の先端側には、直線部３３を介して傾斜部９が連続している。直線部３３は、軸方向にのびる部位である。傾斜部９は、傾斜部８と対向するように傾斜部８とは逆向きに傾斜している。即ち傾斜部９は大面積部７の幅を狭める方向に傾斜している。
また、傾斜部９の先端側には、軸方向に沿った直線部３７が連続している。
【００３１】
一方、傾斜部１０側に注目すると、傾斜部１０の先端側は、直線部３４を介して先端部３６の一端が連続している。直線部３４は、軸方向に沿ってのびており、先端側には先端部３６が連続している。先端部３６は、軸方向と直交する方向にのびている。先端部３６の他端は、直線部３７を介して傾斜部９の先端側と連続している。
【００３２】
傾斜部９，１０は、カム斜面を構成しており、芯部材３の芯部材側係合部１８を前後方向（軸方向）と直交する方向に導くことができる。また、傾斜部８，９を設けることによって、クリップ４の第１突出部２２と協同して往き側通路３１の一部を形成している。
【００３３】
直線部３３，３７によってノック部材２９をノック操作した際におけるストロークが調整されている。即ち、直線部３３，３７を設けることによって、芯部材側係合部１８が後記する第１突出部２２の側方を通過し、さらにクリップ４の幅方向中央側に導かれて、適切に第１突出部２２の係止部２７に係合されるように、ストロークが調整されている。
大面積部７は、以上の様な形状を呈している。
【００３４】
外筒２の側面には、他に切り欠き状開口３０と、クリップ係止用開口４６が設けられている。切り欠き状開口３０とは、外筒２の後端にある。またクリップ係止用開口４６は、切り欠き状開口３０と開口部５の間にある。
本実施形態では、外筒２の後端から開口部５に至る間が切り離されている。
即ち直線状開口６とクリップ係止用開口４６の間、切り欠き状開口３０とクリップ係止用開口４６の間は切り離されているが、当該部分は実質的に隙間はなく当接部３８ａ，３８ｂとなっている。当接部３８ａ，３８ｂは、部分的に幅寸法がゼロとなったスリットである。
【００３５】
外筒２は樹脂製であり、若干の弾性変形が可能である。即ち、後述の回転阻止係合部１３と芯部材側係合部１８を通過させることができる程度に当接部３８ａ，３８ｂが開くように、外筒２は弾性変形することができる。
【００３６】
さらに、外筒２の後端には、後述のクリップ４を装着するクリップ装着部２ａが設けられている。前記した当接部３８ａが、クリップ装着部２ａの一部を構成している。また、当接部３８ｂは、クリップ装着部２ａよりも先端側であって、クリップ装着部２ａ近傍に設けられている。
【００３７】
芯部材３は図３に示す様に、ペン先部材１１５（塗布体）と、インキ貯留部材１１６と、インキ吸蔵体１１７から構成されている。
ペン先部材１１５は、インキ吸蔵体１１７内のインキを吸引し、吸引したインキを塗布対象物に対して塗布する部材である。
ペン先部材１１５は、軸方向Ｌに繊維が延びたフェルトによって構成されており、塗布体１１８と、中継芯部１１９を備えている。
【００３８】
塗布体１１８は、出没式塗布具１のペン先を構成し、塗布対象物に対して塗布する部位であり、基端側（中継芯部１１９側）から先端側に向けて丸みを帯びた部位である。
中継芯部１１９は、毛細管現象によって、インキ吸蔵体１１７内のインキを吸引し、塗布体１１８に供給する部位である。
【００３９】
インキ貯留部材１１６は、図３のように、軸方向Ｌに外径が異なる筒部が接続された部材であり、前方側筒部１２０と、後方側筒部１２１から構成されている。
前方側筒部１２０は、ペン先部材１１５を保持する部位であり、その内部にペン先部材１１５の中継芯部１１９を挿着可能となっている。
後方側筒部１２１は、前方側筒部１２０よりも拡径した部位であり、その内部にインキ吸蔵体１１７を収容可能となっている。
後方側筒部１２１の内部空間は、前方側筒部１２０の内部空間と連通しており、後方側筒部１２１の外周面は、後方側筒部１２１の先端面を介して前方側筒部１２０の外周面と段状に連続している。即ち後方側筒部１２１と前方側筒部１２０の間には段部１１ａがある。
【００４０】
インキ吸蔵体１１７は、インキを保持する部位であり、インキを含浸させた綿状の部位である。
【００４１】
本実施形態では、芯部材３の途中の部位には、環状係合部１２が設けられている。より具体的にはにインキ貯留部材１１６の後方側筒部１２１に環状係合部１２が形成されている。
環状係合部１２は、芯部材３における部分的に小径となった部位である。環状係合部１２には、図２、図４の様に係合片１６が係合している。
【００４２】
係合片１６は、樹脂製の部材であり、筒の側面が切り欠かれた切欠部１７を有している。即ち、係合片１６は、横断面が略Ｃ字形状を呈する部材である。係合片１６は、環状係合部１２にちょうど外嵌できるように湾曲している。換言すると、係合片１６は、環状の一部が切り欠かれたような構造を有しており、係合片１６は弾性を有する。係合片１６を弾性変形させると、切欠部１７の幅が変化する。即ち、切欠部１７の幅を拡げることによって、図４に示す様に、係合片１６を芯部材３の環状係合部１２に対して装着することができる。
芯部材３の環状係合部１２に係合した係合片１６は、芯部材３に対して相対回転が可能であるが、軸方向（先端側から後端側へ向かう方向）には移動不能である。
【００４３】
係合片１６には、芯部材側係合部１８が設けられている。芯部材側係合部１８は、係合片１６における切欠部１７とは反対側の円周上の外周面に設けられた突起である。即ち、芯部材側係合部１８は、係合片１６の外周面から半径方向外側へ突出している。
芯部材側係合部１８は、小径の円柱状の突起であり、直径（幅寸法）は、外筒２の開口部５の直線状開口６にちょうど嵌まる程度の大きさである。即ち、芯部材側係合部１８は、直線状開口６に嵌まった状態で直線状開口６に沿って移動可能である。芯部材側係合部１８は、芯部材３に対して相対回転が可能であるが、軸方向（先端側から後端側へ向かう方向）には移動不能である。
【００４４】
また、芯部材３のインキ貯留部材１１６には回転阻止係合部１３が設けられている。より具体的には、後方側筒部１２１の側面であって、環状係合部１２よりも後方側の位置に回転阻止係合部１３がある。
この様に回転阻止係合部１３は、芯部材３における環状係合部１２よりも後端側の部位に設けられている。回転阻止係合部１３は、芯部材側係合部１８と同程度の大きさの突起である。回転阻止係合部１３は、芯部材３と一体不可分であり、芯部材３の他の部分に対しては軸方向にも回転方向にも移動不能である。
芯部材３は以上のような構造を有している。
【００４５】
芯部材３には、後端にノック部材２９が設けられている。
ノック部材２９は、筒状の部材である。ノック部材２９の装着位置は、芯部材３の最も後端の部位である。ノック部材２９は、使用者によって先端側へ押し出し操作される部位である。
【００４６】
芯部材３の前方側筒部１２０の周囲には、弾性部材たる螺旋ばね１０７が設けられている。螺旋ばね１０７は、段部１１ａと、外筒２内に設けられた図示しない固定部の間で縮設されている。即ち、螺旋ばね１０７は、外筒２に対して、芯部材３を後方へ常時付勢する圧縮ばねである。
【００４７】
次にシール部材１０５について説明する。シール部材１０５は、ペン先部材１１５の塗布体１１８の周囲に密閉空間を作るものである。また本実施形態では、シール部材１０５が蓋部材としての機能も有している。即ち本実施形態では、シール部材１０５は密閉空間を形成する機能と、密閉空間の蓋部材としての機能を有している。
シール部材１０５は、塗布体１１８を収容して密閉し、ペン先部材１１５の塗布体１１８が乾燥することを防止する部材である。
シール部材１０５は、図８のように固定部１２５と、蓋部１２６と、接続部１２７によって構成されており、これらが一体的に成形されたものである。
【００４８】
固定部１２５は、図１７のように、シール部材１０５をインキ貯留部材１１６の前方側筒部１２０に対して摺動可能に固定する部位である。
固定部１２５は、筒状であって、その軸方向Ｌの前方端部と後方端部にそれぞれ開口１２８，１２９を有しており、これら開口１２８，１２９は、収容空間１３３（収容部）を介して連通している。収容空間１３３は、塗布体１１８を密閉する密閉空間を形成するものである。
収容空間１３３は、ペン先部材１１５の塗布体１１８を収容可能な密閉空間である。
【００４９】
固定部１２５の外周面には、図８のように、軸方向Ｌの中間部分に周方向に延びた凸条部１３０が設けられている。
凸条部１３０は、固定部１２５の外周面から径方向に突出した突条であり、周方向（凸条部１３０の延び方向）において、所定の間隔を空けて切り欠き部１３１，１３２が形成されている。
切り欠き部１３１，１３２は、軸方向に延びた有底の切り欠き溝であり、引張部材１０６の一部と係合可能な係合溝である。
【００５０】
蓋部１２６は、図８のように、固定部１２５の前方側の開口１２８を開閉可能な円板状の部位であり、開口１２８を閉塞することによって固定部１２５の収容空間１３３を密閉可能となっている。
蓋部１２６の外周面は、固定部１２５の先端面の一部と接続部１２７によって接続されており、片持ち状に支持されている。
【００５１】
蓋部１２６の前方側の主面（前面）には、図８のように係合溝１３５が設けられている。
係合溝１３５は、図１７に示されるように引張部材１０６の一部と係合可能な有底溝であり、蓋部１２６の前記主面を２分割するように横切っている。また、係合溝１３５は、接続部１２７との接続部位に対して径方向にずれた位置に配されている。
係合溝１３５は、図１７（ａ）に示される密閉姿勢において、蓋部１２６を正面視したときに、固定部１２５の切り欠き部１３１，１３２と同一直線上に並んでいる。
【００５２】
接続部１２７は、図８のように、固定部１２５と蓋部１２６を接続する部位であり、ヒンジとして機能する部位である。即ち、接続部１２７は、蓋部１２６の開閉時に固定部１２５に対する回動中心となる部位であり、弾性を備え、折り曲げ可能となっている。
接続部１２７は前記した様に弾性を有しており、外力を受けていない状態では、蓋部１２６は接続部１２７によって開口１２８を塞ぐ方向に付勢されている。
【００５３】
引張部材１０６は、図１７（ａ）に示される密閉姿勢において、シール部材１０５の蓋部１２６に対して引張力を加える部材である。
引張部材１０６は、取付部１４０と、紐状部１４１から構成されている。
取付部１４０は、図９，図１７から読み取れるように、前方側筒部１２０に取り付け可能な筒状体である。
取付部１４０は、その中央に前方側筒部１２０に挿着可能な挿着孔１４２が形成されており、挿着孔１４２の周囲に螺旋ばね１０７を固定可能な弾性受部１４３を備えている。
【００５４】
紐状部１４１は、両端部が取付部１４０と一体となって支持された部位であり、その中間部がシール部材１０５の蓋部１２６の係合溝１３５及び凸条部１３０の切り欠き部１３１，１３２と係合可能な部位である。
【００５５】
次にクリップ４について説明する。
クリップ４は、図１，図２に示す様に、後端側に取付部１９を有し、先端側にクリップ玉部２０を有している。
【００５６】
取付部１９は、クリップ４を外筒２の後端側端部のクリップ装着部２ａに固定する部位である。取付部１９は、環状構造を有しており、外筒２のクリップ装着部２ａに外嵌している。換言すると、外筒２のクリップ装着部２ａが、取付部１９に圧入されており、クリップ４が外筒２に固定されている。
【００５７】
クリップ玉部２０は、従来の塗布具のクリップと同様に、クリップ４の先端側端部の内面４ａ（図２）に形成されている。内面４ａとは、クリップ４における外筒２と対向する面である。図１２（ａ）に示す様に、内面４ａの先端部分（クリップ玉部２０）の縁には、Ｕ字状のＵ字壁部２１が設けられている。Ｕ字壁部２１は軸方向にのび平行に立設された壁面がクリップ４の先端で接合された形状である。説明の便宜上、一方側の壁を２１ａ、他方を２１ｂと表記する。
【００５８】
また内面４ａには、Ｕ字壁部２１と同程度の高さの第１突出部２２と第２突出部２３が設けられている。第１突出部２２と第２突出部２３は、内面４ａから起立しており、複数の側壁部を有している。
【００５９】
第１突出部２２は、Ｕ字壁部２１のＵ字の開口付近であって、内面４ａの幅方向（図９で見て上下方向）の中央に形成されており、Ｕ字壁部２１と離間している。即ち、第１突出部２２は島状であり、第１突出部２２とＵ字壁部２１の間には隙間がある。第１突出部２２とＵ字壁部２１ａとの間は往き側通路３１として機能し、第１突出部２２とＵ字壁部２１ｂとの間は戻り側通路３２として機能する。
【００６０】
第１突出部２２は、後端側誘導側壁部２４、先端側誘導側壁部２５、停止側壁部２６及び接続壁４０によって周囲が囲まれた突起である。
図１２（ａ）に示す様に内面４ａを正面視して、後端側（左側）に後端側誘導側壁部２４を有しており、先端側（右側）に先端側誘導側壁部２５と停止側壁部２６を有している。
第１突出部２２の、後端側誘導側壁部２４と先端側誘導側壁部２５は、芯部材３が軸方向先端側に移動する際に芯部材側係合部１８を回動させる回動ガイドとして機能する。
【００６１】
後端側誘導側壁部２４は、後端側を向いた傾斜面であり、クリップ４（クリップ玉部２０）の幅方向の中央領域から、先端側へいくほどＵ字壁部２１ａの領域にいくように傾斜している。即ち、後端側誘導側壁部２４は、先端側ほど図１２（ａ）で見て上方のＵ字壁部２１ａに接近している。
【００６２】
先端側誘導側壁部２５は、先端側を向いた傾斜面であり、後端側誘導側壁部２４と同方向に傾斜しており、後端側誘導側壁部２４よりは傾斜が緩やかである。また、先端側誘導側壁部２５は、停止側壁部２６と接続されている。停止側壁部２６は、先端側誘導側壁部２５と交差する方向に傾斜した傾斜面である。
【００６３】
先端側誘導側壁部２５の後端と、停止側壁部２６の後端とが繋がっており、両側壁部２５，２６は交差している。そして、先端側誘導側壁部２５と停止側壁部２６によって、第１突出部２２の先端側には後端側に凹んだ係止部２７が形成されている。
【００６４】
第２突出部２３は、内面４ａの幅方向（図２で見て上下方向）の下側に偏った位置であって、クリップ玉部２０の先端部分に設けられている。第２突出部２３は、Ｕ字壁部２１と連続している。
第２突出部２３は、図１３（ａ）に示す様に、誘導側壁部２８を有している。誘導側壁部２８は、後端側を向いた傾斜面である。誘導側壁部２８は、内面４ａの一方側（図１３で見て下方側  Ｕ字壁部２１ｂ側）からクリップ４の幅方向の中央付近までのびている。即ち誘導側壁部２８は、クリップ４の幅方向の中央側ほど後端側となるように傾斜している。
誘導側壁部２８は、芯部材側係合部１８が係止部２７との係合を解除する方向に芯部材側係合部１８を回動させる解除用回動ガイドとして機能する。
【００６５】
第１突出部２２の係止部２７と、第２突出部２３の誘導側壁部２８は、出没式塗布具１の後端側と先端側を結ぶ直線上にある。即ち、係止部２７よりも軸方向の先端側には誘導側壁部２８がある。
【００６６】
第１突出部２２とＵ字壁部２１の間の往き側通路３１上には、図２，図１２（ａ）に示す様に、傾斜面３５が設けられている。傾斜面３５は、内面４ａからの高さが、クリップ４の先端側へ行くほど高くなっている。そのため往き側通路３１には段差４７が設けられている。
【００６７】
続いて、本実施形態の出没式塗布具１の各部材の位置関係について説明する。なお、説明の都合上、密閉姿勢について説明する。
【００６８】
外筒２は、図１６（ａ）に示されるように、その内部に芯部材３、シール部材１０５、引張部材１０６、及び螺旋ばね１０７が収容されており、図１のように、後端部近傍にクリップ４が取り付けられている。
インキ貯留部材１１６の後方側筒部１２１の内部空間には、インキ吸蔵体１１７が収容されている。
ペン先部材１１５の塗布体１１８は、インキ貯留部材１１６の前方側筒部１２０から露出しており、中継芯部１１９は、インキ貯留部材１１６の前方側筒部１２０を通過し、その後端部が後方側筒部１２１内でインキ吸蔵体１１７と接触している。
【００６９】
インキ貯留部材１１６の前方側筒部１２０は、引張部材１０６の取付部１４０の挿着孔１４２に挿通されており、後方側筒部１２１の前方側端部は、引張部材１０６の取付部１４０の後端部と接触している。
インキ貯留部材１１６の前方側筒部１２０は、螺旋ばね１０７を軸方向に挿通しており、螺旋ばね１０７の後方側端部は、取付部１４０の弾性受部１４３によって固定されている。
インキ貯留部材１１６の前方側筒部１２０は、螺旋ばね１０７よりも前方部位にシール部材１０５の固定部１２５が取り付けられており、インキ貯留部材１１６の前方側筒部１２０の外周面とシール部材１０５の固定部１２５の開口１２９近傍は、その大部分で接触している。また固定部１２５の後端部は、螺旋ばね１０７の前方端部と接触している。
【００７０】
引張部材１０６の紐状部１４１は、図１７（ａ）のように、螺旋ばね１０７及びシール部材１０５の外側に位置しており、紐状部１４１の中間部分がシール部材１０５の係合溝１３５及び切り欠き部１３１，１３２のそれぞれと係合している。
具体的には、引張部材１０６の紐状部１４１の中間部分は、シール部材１０５の蓋部１２６の係合溝１３５に嵌っており、蓋部１２６の前方側への移動を規制している。また、引張部材１０６の紐状部１４１の他の中間部分は、シール部材１０５の固定部１２５の切り欠き部１３１，１３２に嵌っており、シール部材１０５の周方向の移動を規制している。
【００７１】
また、塗布体１１８は、固定部１２５の収容空間１３３内に収容されており、開口１２８よりも後方側であって、開口１２９よりも前方側に位置している。そして、固定部１２５の開口１２８は、図１６（ａ）のように、蓋部１２６の後方側の主面によって閉塞されており、固定部１２５の収容空間１３３は、前方側筒部１２０、塗布体１１８、及び蓋部１２６によって密閉されている。
【００７２】
ノック部材２９は、その後方部分が外筒２から露出し、その前方部分がインキ貯留部材１１６の後方側筒部１２１と係合してインキ貯留部材１１６と一体となっている。そのため、使用者によってノック部材２９が押圧されると、螺旋ばね１０７を圧縮してインキ貯留部材１１６がペン先部材１１５とともに前方側に移動可能となっている。
【００７３】
次に、クリップ近傍の構造について説明する。
前記した様に、外筒２内には芯部材３が軸方向に往復移動可能に収容されている。芯部材３の回転阻止係合部１３と係合片１６の芯部材側係合部１８が、図５（ａ），図５（ｂ）に示す様に、外筒２の開口部５（直線状開口６）に嵌まっている。芯部材３の回転阻止係合部１３と係合片１６の芯部材側係合部１８の先端は、開口部５から突出している。
なお芯部材３は、外筒２の後部側の開口から挿入され、回転阻止係合部１３と芯部材側係合部１８が、図２に示す切り欠き状開口３０から開口部５（直線状開口６）に進入する。その際、外筒２が弾性変形して当接部３８ａ，３８ｂが開き、回転阻止係合部１３と芯部材側係合部１８が当接部３８ａ，３８ｂを通過する。図５（ａ）では、回転阻止係合部１３と芯部材側係合部１８が開口部５の直線状開口６に配置されている状態を示しており、クリップ４は、描写の都合上省略している。
【００７４】
その後クリップ４（取付部１９）が、外筒２のクリップ装着部２ａに装着される。そのため、外筒２の後部は弾性変形することができず、当接部３８ａ，３８ｂは開かない。よって、外筒２と芯部材３は、前後方向に相対移動が可能であるが、両者は外れない。
【００７５】
芯部材３の後端側のノック部材２９は、外筒２から突出している。また、芯部材３の先端側である塗布体１１８は、芯部材３が外筒２に対して先端側へ移動すると、図５（ｂ）に示すように外筒２から突出し、芯部材３が後端側へ移動すると、図５（ａ）に示すように外筒２内に退没する。塗布体１１８が外筒２内に退没した状態では、出没式塗布具１の先端側においてシール部材１０５の蓋部１２６は閉じている。
【００７６】
芯部材３と外筒２の間には圧縮ばねである螺旋ばね１０７が介在している。そのため、芯部材３には塗布体１１８を外筒２内に退没（収容）する方向の付勢力が作用している。即ち、自然状態では、芯部材３の塗布体１１８は、図１６（ａ）に示す様に、外筒２内に収容されている。
【００７７】
そして、螺旋ばね１０７の付勢力に抗して出没式塗布具１の使用者がノック部材２９を先端側へ押し出すと、塗布体１１８が外筒２から突出し、塗布可能な状態となる。
なおこのとき、芯部材３がシール部材１０５に近づくことによって紐状部１４１が緩み、シール部材１０５の蓋部１２６が開く。
【００７８】
本実施形態の出没式塗布具１、ノック部材２９を押圧することによって芯部材３が軸方向に移動する。本実施形態では、芯部材３は回動することなく、直線的に移動する。
また芯部材３が先端側に移動するのに伴って蓋部１２６が開く。
以下、本実施形態の出没式塗布具１を密閉姿勢から塗布姿勢に変更する際のシール部材１０５の動作と各部材の位置関係について説明する。
【００７９】
使用者が密閉姿勢の出没式塗布具１のノック部材２９を前方側に押圧すると、ノック部材２９に連動して芯部材３が外筒２に対して相対的に前方側に移動する。芯部材３が前方側に移動すると、前方側筒部１２０が固定部１２５の内壁面と接触しながら前方側に移動する。
ここで芯部材３は前進するが、シール部材１０５の位置は変わらない。そのため芯部材３に取り付けられた引張部材１０６の取付部１４０が、蓋部１２６に近づき、紐状部１４１が緩み、シール部材１０５の蓋部１２６が開く。
【００８０】
即ち図１６（ｂ）のように外筒２の内周面にシール部材１０５の固定部１２５の凸条部１３０が当接し、固定部１２５の前方側への移動が制限されている。そのため、蓋部１２６が塗布体１１８又は前方側筒部１２０から押圧力を受けると、紐状部１４１が緩み、接続部１２７を回転中心として蓋部１２６が回転して、固定部１２５の開口１２８が開放され、固定部１２５の開口１２８からペン先部材１１５の塗布体１１８が前方側に進行する。
そして、ペン先部材１１５の塗布体１１８は、固定部１２５の開口１２８を通過し、さらに図１７（ｂ）のように外筒２の開口１１１から外部に露出して塗布可能状態となる。このとき、後記する様に外筒２の芯部材側係合部１８とクリップ４の係止部２７とが係合され、塗布体１１８は突出したまま保持される。
【００８１】
続いて、本実施形態の出没式塗布具１を塗布姿勢から密閉姿勢に変更する際のシール部材１０５の動作と各部材の位置関係について説明する。
【００８２】
使用者が塗布姿勢の出没式塗布具１のノック部材２９を前方側にさらに押圧して指を離すと、後記する様に外筒２の芯部材側係合部１８とクリップ４の係止部２７との係合が解除され、螺旋ばね１０７の復元力によって、ノック部材２９及び芯部材３が外筒２に対して後方側に移動する。
芯部材３が後方側に移動すると、螺旋ばね１０７の復元力によって、ペン先部材１１５の塗布体１１８が固定部１２５の収容空間１３３に収容されていき、さらに固定部１２５が後方側に押圧され、紐状部１４１によって蓋部１２６が開口１２８を塞ぐように接続部１２７を回転中心として回動する。そして、蓋部１２６が開口１２８を閉塞して塗布体１１８が収容された収容空間１３３が密閉状態となり、塗布不能状態となる。
【００８３】
次に、芯部材３とクリップ４との係合関係について説明する。最初にペン先部材１１５の塗布体１１８が外筒２から突出し、塗布可能な突出状態を維持する際の芯部材３とクリップ４の動作について図１０，図１２，図１４を参照しながら説明する。なお、図１２では、クリップ４の内面４ａを正面視しているため、図１０，図１４の描写と上下の向きが逆になっている。
【００８４】
使用者が図６に示すノック部材２９をノックし先端側へ押し出すと、芯部材３が先端側へ移動する。その際、芯部材３側の芯部材側係合部１８は、以下の様に動作する。
芯部材３側の回転阻止係合部１３と芯部材側係合部１８が、図１０（ａ），図１２（ａ），図１４（ａ）に示す位置から、図１０（ｂ），図１２（ｂ），図１４（ｂ）に示す位置まで外筒２の開口部５（直線状開口６）に沿って先端側へ移動する。芯部材側係合部１８は、直線状開口６を超えて大面積部７に達し、さらに第１突出部２２の後端側誘導側壁部２４に当接する。
この間、回転阻止係合部１３は開口部５の直線状開口６にあり、回転阻止係合部１３は直線的に移動して回動しないから、芯部材３は回転しない。
一方、この間、芯部材３の先端側では、引張部材１０６の取付部１４０が、蓋部１２６に近づきはじめ、紐状部１４１が緩みはじめるが、芯部材３は回転しないから、紐状部１４１は捩じれない。
【００８５】
そして、係合片１６（図２，図４）が芯部材３に対して回転しながら芯部材側係合部１８が後端側誘導側壁部２４に沿って移動する。
この状態においては、係合片１６は回動するものの、回転阻止係合部１３は依然として開口部５の直線状開口６にあり、回転阻止係合部１３は直線的に移動して回動しないから、芯部材３は回転しない。
芯部材３の先端側では、引張部材１０６の取付部１４０が、蓋部１２６により近づき、紐状部１４１が緩むが、芯部材３は回転しないから、紐状部１４１は捩じれない。
【００８６】
芯部材３がさらに前進すると、芯部材側係合部１８は、クリップ４の傾斜面３５に乗り上げる。そのため、芯部材側係合部１８がクリップ４の先端側へ移動するほど、クリップ玉部２０は、クリップ４自身の弾性力に抗して外筒２の周面から離間する。そして、芯部材側係合部１８が傾斜面３５を超えると、クリップ４自身の弾性力によってクリップ玉部２０が外筒２の周面に衝突し、カチッという節度音が生じる。即ち本実施形態では、往き側通路３１には段差４７が設けられているので、ノック部材２９を押圧した際にクリック音が発生し節度感がある。
なお、図１０，図１４では、描写の都合で傾斜面３５を省略している。
【００８７】
芯部材側係合部１８は後端側誘導側壁部２４の端部に達し、図１０（ｃ），図１２（ｃ），図１４（ｃ）に示す様に、第１突出部２２とＵ字壁部２１の間の往き側通路３１を通過し、開口部５の大面積部７の傾斜部９に当接する。
即ち、芯部材側係合部１８が後端側誘導側壁部２４に沿って移動した結果、芯部材側係合部１８は、開口部５の大面積部７の一方の縁付近まで移動する。芯部材３がさらに先端側へ移動すると、芯部材側係合部１８は大面積部７の傾斜部９に当接する。
【００８８】
係合片１６は環状係合部１２に対して回動し、芯部材側係合部１８は傾斜部９に沿って移動し、図１０（ｄ），図１２（ｄ），図１４（ｄ）に示す様に、芯部材側係合部１８は大面積部７の中央付近に移動する。
【００８９】
一方、芯部材３の回転阻止係合部１３は、この間、概ね開口部５の直線状開口６にあり、回転阻止係合部１３は直線的に移動して回動しないから、芯部材３は回転しない。
芯部材３の先端側では、引張部材１０６の取付部１４０が、蓋部１２６にさらに近づき、紐状部１４１は緩んで蓋部１２６が開く。
本実施形態では、ノック部材２９を押し込みきった状態においては、図１０（ｃ）、図１０（ｄ）の様に一時的に直線状開口６を離れ、一時的に大面積部７に入る。そのため芯部材３は瞬間的に回動し得る状態となっている。
このとき、芯部材３の先端側では、引張部材１０６の取付部１４０は蓋部１２６に近い位置に至っており、紐状部１４１は十分に弛んでいる。そのため芯部材３は瞬間的に回動し得る状態となっているものの、多少回動しても紐状部１４１に十分にゆとりがあり、悪影響は少ない。
むしろ、芯部材３が回動可能な状態となるので、芯部材３が直線移動していた際に生じた芯部材３の捩じれが解消される。
【００９０】
そして、出没式塗布具１の使用者がノック部材２９のノック操作（押し出し操作）をやめると、芯部材３が螺旋ばね１０７の付勢力によって後端側へ移動し、図１０（ｅ），図１２（ｅ），図１４（ｅ）に示す様に、芯部材側係合部１８が第１突出部２２の先端側誘導側壁部２５に当接する。
【００９１】
芯部材３は、螺旋ばね１０７の付勢力によってさらに後端側へ移動し、図１０（ｆ），図２（ｆ），図１４（ｆ）に示す様に、芯部材側係合部１８は停止側壁部２６に当接して係止部２７に係止される。
【００９２】
その結果、芯部材３の後端側への移動が停止し、芯部材３と外筒２の相対移動は停止し、塗布体１１８が外筒２から突出した塗布可能状態が維持される。
【００９３】
次に外筒２から突出した塗布体１１８（図７）が、図６に示す様に外筒２内に収容される際の動作について、図１１，図１３，図１５を参照しながら説明する。なお、図１３では、クリップ４の内面４ａを正面視しているため、図１１，図１５の描写と上下の向きが逆になっている。
【００９４】
出没式塗布具１の使用者が、図１１（ａ），図１３（ａ），図１５（ａ）に示す塗布可能状態から、螺旋ばね１０７の付勢力に抗してノック部材２９を先端側へ押し出し、外筒２に対して芯部材３を先端側へ移動させると、芯部材側係合部１８は、図１１（ｂ），図１３（ｂ），図１５（ｂ）に示す様に、第２突出部２３の誘導側壁部２８に当接し、さらに図１１（ｃ），図１３（ｃ），図１５（ｃ）に示す様に、誘導側壁部２８に沿って開口部５の大面積部７の戻り側通路３２側へ移動する。回転阻止係合部１３が第１突出部２２の後端側誘導側壁部２４に当接し、芯部材３の先端側への移動は停止する。
【００９５】
ここで出没式塗布具１の使用者が、ノック部材２９の押し出し操作をやめると、芯部材３が螺旋ばね１０７の付勢力によって後端側へ移動し、図１１（ｄ），図１３（ｄ），図１５（ｄ）に示す様に、芯部材側係合部１８は、第１突出部２２とＵ字壁部２１の間の戻り側通路３２を通過する。
【００９６】
芯部材側係合部１８は、図１１（ｅ），図１５（ｅ）に示す様に、開口部５の傾斜部１０に沿って移動し、直線状開口６側に導かれる。そして芯部材側係合部１８は、図１１（ｆ），図１３（ｅ），図１５（ｆ）に示す様に、開口部５の直線状開口６に入って停止する。
【００９７】
この間、芯部材３の回転阻止係合部１３は、大面積部７から直線状開口６に戻り、芯部材３の回動を阻止する。
一方、この間、芯部材３の先端側では、引張部材１０６の取付部１４０が、蓋部１２６から遠ざかり、紐状部１４１を引っ張って蓋部１２６を閉止させる。この際も芯部材３は回転しないから、紐状部１４１は捩じれない。
【００９８】
また出没式塗布具１を衣服のポケットやノート等に固定するべくクリップ４の自由端側を広げると、係止部２７が外筒２から径方向に遠ざかり、芯部材側係合部１８と係止部２７との係合が解消する。その結果、芯部材３が螺旋ばね１０７の付勢力によって後端側へ移動する。この場合についても芯部材３の先端側では、引張部材１０６の取付部１４０が、蓋部１２６から遠ざかり、紐状部１４１を引っ張って蓋部１２６を閉止させる。この際も芯部材３は回転しないから、紐状部１４１は捩じれない。
【００９９】
出没式塗布具１では、芯部材３が螺旋ばね１０７によって常時後方側へ付勢されており、塗布体１１８が外筒２の内部に退没した状態が維持されている。この状態で、使用者がノック部材２９を前方へ押圧し、芯部材３を前方へ押し出すと、塗布体１１８が外筒２の先端開口から突出した塗布可能な状態となる。さらに、芯部材３に設けられた係合片１６の芯部材側係合部１８が、クリップ玉部２０に設けられた第１突出部２２の後端側誘導側壁部２４，先端側誘導側壁部２５や、外筒２の開口部５の大面積部７の傾斜部９に沿って前後方向（軸方向）及び左右方向（軸方向と直交する方向）に移動し、第１突出部２２の係止部２７に係合して停止し、塗布可能な状態が維持される。
このとき、芯部材３の係合片１６は、芯部材３の環状係合部１２上を回動し、係合片１６の芯部材側係合部１８が、軸方向と直交する方向に回動（揺動）するだけで第１突出部２２の係止部２７に係合することができる。一方、芯部材３は回動しないので、この際においても引張部材１０６が捩じれることはない。
【符号の説明】
【０１００】
１    出没式塗布具
２    外筒
３    芯部材
４    クリップ
５    開口部
６    開口部の直線状開口
７    開口部の大面積部
８，９，１０  傾斜部
１３  回転阻止係合部
１６  係合片
１８  芯部材側係合部（芯側係合部）
２０  クリップ玉部（クリップ側係合部）
２１  Ｕ字壁部
２２  第１突出部
２３  第２突出部
２４  後端側誘導側壁部（回転ガイド）
２５  先端側誘導側壁部（回転ガイド）
２６  停止壁部
２７  係止部
２８  誘導側壁部
２９  ノック部材
３１  往き側通路
３２  戻り側通路
１０５  シール部材（蓋部材）
１０７  螺旋ばね
１１５  ペン先部材
１１８  塗布体
１２６  蓋部
１３３  収容空間（密閉空間）
【図１】
2017113900.tif 000003
【図２】
2017113900.tif 000004
【図３】
2017113900.tif 000005
【図４】
2017113900.tif 000006
【図５】
2017113900.tif 000007
【図６】
2017113900.tif 000008
【図７】
2017113900.tif 000009
【図８】
2017113900.tif 000010
【図９】
2017113900.tif 000011
【図１０】
2017113900.tif 000012
【図１１】
2017113900.tif 000013
【図１２】
2017113900.tif 000014
【図１３】
2017113900.tif 000015
【図１４】
2017113900.tif 000016
【図１５】
2017113900.tif 000017
【図１６】
2017113900.tif 000018
【図１７】
2017113900.tif 000019